(57)【要約】  【課題】グループ参加者に好適に対応し、各利用者が気に入った録音データを、可搬型記録媒体を特定して、容易かつ速やかに書き込み指示できると共に、必要時に、誰の可搬型録音媒体に書き込むかを容易に確認でき、さらに、利用者毎の録音データを効率よく区分して書き込めるようにすることで利用時間を短縮でき、他の利用者に迷惑を及ぼさないカラオケ録音システムの提供。  【解決手段】音響信号を取得するための二系統の音響入力インタフェイスを設け、所定のカラオケ楽曲の演奏中、各カラオケ楽曲に対応して設定された歌唱区間データと非歌唱区間データに基づき、歌唱区間ではカラオケ伴奏音楽およびマイク入力音声の音響信号を取得させ、一方、非歌唱区間ではカラオケ伴奏音楽のみの音響信号を取得させ、かつ、非歌唱区間において、利用者の音声データが抽出され、当該音声データに何れかの利用者のＩＤ情報が含まれていた場合、当該当該ＩＤ情報に基づき区分し、その区分毎に各録音データを所定の可搬型記録媒体に書き込むように制御させる。【選択図】図３
2005316154.tif 000002
【特許請求の範囲】
【請求項１】
グループ参加の利用者に対応し、当該利用者らの歌唱音声を録音するためのカラオケ録音システムであって、
（ア）カラオケ伴奏音楽の音響信号を取得するための第１音響入力インタフェイスと、
（イ）マイク入力音声の音響信号を取得するための第２音響入力インタフェイスと、
（ウ）当該第１および第２音響入力インタフェイスから取得したカラオケ伴奏音楽およびマイク入力音声の音響信号を混合してカラオケ楽曲毎の録音データを形成し、当該録音データを所定の記録部へ記録するための録音制御手段と、
（エ）前記所定の記録部へ記録された録音データの内容を利用者に対して表示するための表示手段と、
（オ）当該録音データを所定の可搬型記録媒体に書き込むための書込手段と、
（カ）前記マイク入力音声から音声データを抽出すると共に、当該音声データに含まれる前記利用者のＩＤ情報を特定するための音声認識手段と、
（キ）これら各手段を統括的に制御するための中央制御手段とを備え、
（ク）前記中央制御手段は、所定のカラオケ楽曲の演奏中、前記録音制御手段に対して、各カラオケ楽曲に対応して設定された歌唱区間データと非歌唱区間データに基づき、前記歌唱区間では第１および第２音響入力インタフェイスからの音響信号を取得させ、前記非歌唱区間では第１音響入力インタフェイスからのみ音響信号を取得させるように制御し、
（ケ）かつ、前記中央制御手段は、所定のカラオケ楽曲の演奏中、前記音声認識手段および前記録音制御手段に対して、前記非歌唱区間において、前記第２音響入力インタフェイスから音声データが抽出され、当該音声データに前記何れかの利用者のＩＤ情報が含まれていた場合、当該カラオケ楽曲の録音データを当該ＩＤ情報に基づき区分して記録させると共に、前記表示手段に対して、必要時に、当該ＩＤ情報を付帯させて当該録音データを表示させるように制御することを特徴とするカラオケ録音システム。
【請求項２】
（コ）前記中央制御手段は、所定のカラオケ楽曲の演奏中、前記音声認識手段および前記録音制御手段に対し、前記非歌唱区間において、前記第２音響入力インタフェイスから音声データが抽出され、当該音声データに前記何れかの利用者のＩＤ情報が含まれていた場合、前記書込手段に対して、必要時に、前記区分された各録音データを当該区分毎に一括して所定の可搬型記録媒体に書き込むように制御することを特徴とする請求項１記載のカラオケ録音システム。
【発明の詳細な説明】
【技術分野】
【０００１】
本発明は、カラオケ伴奏音楽と利用者によるマイク入力音声とを混合し、カラオケ楽曲毎の録音データを作成し、その録音データを所定の可搬型記録媒体へ書き込むためのカラオケ録音システムに関し、さらに詳しくは、グループ参加者に好適に対応したカラオケ録音システムに関する。
【背景技術】
【０００２】
最近、通称「カラオケボックス」と呼ばれるカラオケ店舗などでは、オプショナルサービスとして、カラオケ演奏装置から音響出力されるカラオケ伴奏音楽と、その音楽に合わせて歌唱するマイク入力音声とを混合して録音し、ＣＤ−ＲやＤＶＤなどの適宜な可搬型録音媒体に書き込み（焼込み録音）できるカラオケ録音サービスを提供しているところがある。このようなサービスを行うためには、可搬型記録媒体用の録音装置、具体的には、ＣＤ−ＲレコーダやＤＶＤレコーダなどが必要であり、通常、カラオケ演奏装置に別体の録音装置を付帯させるものであるが、最近では、カラオケ演奏装置内に各種レコーダが組み込まれているものもある。書き込みの手順としては、カラオケ伴奏音楽とマイク入力音声の音響信号を混合して録音データを形成し、所定の記録部に記録した後、例えば、ＣＤ−Ｒレコーダを利用して記録された録音データをＣＤ−ＤＡ規格のＰＣＭデータ形式となるように変換してＣＤ−Ｒに書き込むものである。
【０００３】
従来、このようなカラオケ録音サービスに関連して様々な技術が想到された。例えば、特許文献１では、アルバム毎に割り当てた適宜な可搬型記録媒体に録音する楽曲を自在に選択できるカラオケ録音装置が開示されている。また、特許文献２では、意図的にカラオケ伴奏音楽のみを録音した場合、作成された録音済みＣＤ−Ｒはそのままカラオケ用途に再使用できるため、著作権法上違法となる行為が発生するという問題に対応し、著作権を考慮して伴奏音楽のみが不正に録音されることを防止できるカラオケ録音装置が開示されている。
【０００４】
ところで、通常、カラオケ楽曲には前奏・間奏・後奏など、歌唱者が歌唱しない演奏区間（非歌唱区間）があるが、従来ではカラオケ楽曲の演奏を通して伴奏音楽とマイク入力音声とを録音し、非歌唱区間においてもマイク入力された音声は録音される。歌唱中であれば、マイク入力されるマイク入力音声によって周囲の雑音、例えば同伴者の雑談などは録音されていたとしてもマイク入力音声によってかき消されるため、録音された音声を聞いても気にはならない。しかし、非歌唱区間に録音されたマイク入力音声が無用な雑音となるといった不都合が生じる。そこで、例えば、特許文献３では、非歌唱区間にマイク入力される雑音を排除して録音できる技術が想到された。
【特許文献１】特開２００２−２８７７７７号公報
【特許文献２】特開２００３−１６７５９２号公報
【特許文献３】特開２００２−１８２６６５号公報
【発明の開示】
【発明が解決しようとする課題】
【０００５】
しかしながら、従来では、グループ参加者すなわち複数の利用者が一緒に録音サービスを受ける場合に好適に対応したカラオケ録音システムがなかった。したがって、従来は、グループ参加のそれぞれの利用者が個別に可搬型録音媒体を作りたい場合は、個別に録音システムを利用しなければならず、何回も録音システムの起動と終了を繰り返す必要があった。あるいは、グループ参加の利用者が一緒に同じ録音システムを起動して利用した場合は、複数の利用者の録音データが混在しているため、誰の録音データを誰の可搬型録音媒体に書き込むかの操作や確認が煩雑になり、録音データの書き込み指示に手間がかかってしまった。このような現状では、録音システムの利用が不便であるばかりか、どうしてもシステムの利用時間が長くなってしまい、利用の順番を待っている他の利用者にとっては大変な迷惑になるといった不都合が生じてしまった。
【０００６】
そこで、本発明は、上記問題や不都合を解消するために想到されたもので、すなわち、グループ参加者に好適に対応し、各利用者が気に入った録音データを、可搬型記録媒体を特定して、容易かつ速やかに書き込み指示できると共に、必要時に、誰の可搬型録音媒体に書き込むかを容易に確認でき、さらに、利用者毎の録音データを効率よく区分して書き込めるようにすることで利用時間を短縮でき、他の利用者に迷惑を及ぼさないカラオケ録音システムの提供を課題とする。
【課題を解決するための手段】
【０００７】
上記課題を鑑み、本発明者は、音響信号を取得するための二系統の音響入力インタフェイスを設け、所定のカラオケ楽曲の演奏中、各カラオケ楽曲に対応して設定された歌唱区間データと非歌唱区間データに基づき、歌唱区間ではカラオケ伴奏音楽およびマイク入力音声の音響信号を取得させ、一方、非歌唱区間ではカラオケ伴奏音楽のみの音響信号を取得させ、かつ、非歌唱区間において、利用者の音声データが抽出され、当該音声データに何れかの利用者のＩＤ情報が含まれていた場合、当該当該ＩＤ情報に基づき区分し、その区分毎に各録音データを所定の可搬型記録媒体に書き込むように制御させることで、上記課題を解決できることを見出し、本発明のグループ参加者対応カラオケ録音システムを想到した。
【０００８】
すなわち、請求項１記載の発明は、グループ参加の利用者に対応し、当該利用者らの歌唱音声を録音するためのカラオケ録音システムであって、
（ア）カラオケ伴奏音楽の音響信号を取得するための第１音響入力インタフェイスと、
（イ）マイク入力音声の音響信号を取得するための第２音響入力インタフェイスと、
（ウ）当該第１および第２音響入力インタフェイスから取得したカラオケ伴奏音楽およびマイク入力音声の音響信号を混合してカラオケ楽曲毎の録音データを形成し、当該録音データを所定の記録部へ記録するための録音制御手段と、
（エ）前記所定の記録部へ記録された録音データの内容を利用者に対して表示するための表示手段と、
（オ）当該録音データを所定の可搬型記録媒体に書き込むための書込手段と、
（カ）前記マイク入力音声から音声データを抽出すると共に、当該音声データに含まれる前記利用者のＩＤ情報を特定するための音声認識手段と、
（キ）これら各手段を統括的に制御するための中央制御手段とを備え、
（ク）前記中央制御手段は、所定のカラオケ楽曲の演奏中、前記録音制御手段に対して、各カラオケ楽曲に対応して設定された歌唱区間データと非歌唱区間データに基づき、前記歌唱区間では第１および第２音響入力インタフェイスからの音響信号を取得させ、前記非歌唱区間では第１音響入力インタフェイスからのみ音響信号を取得させるように制御し、
（ケ）かつ、前記中央制御手段は、所定のカラオケ楽曲の演奏中、前記音声認識手段および前記録音制御手段に対して、前記非歌唱区間において、前記第２音響入力インタフェイスから音声データが抽出され、当該音声データに前記何れかの利用者のＩＤ情報が含まれていた場合、当該カラオケ楽曲の録音データを当該ＩＤ情報に基づき区分して記録させると共に、前記表示手段に対して、必要時に、当該ＩＤ情報を付帯させて当該録音データを表示させるように制御することを特徴とする。
【０００９】
また、請求項２記載の発明は、請求項１記載のカラオケ録音システムにおいて、
（コ）前記中央制御手段は、所定のカラオケ楽曲の演奏中、前記音声認識手段および前記録音制御手段に対し、前記非歌唱区間において、前記第２音響入力インタフェイスから音声データが抽出され、当該音声データに前記何れかの利用者のＩＤ情報が含まれていた場合、前記書込手段に対して、必要時に、前記区分された各録音データを当該区分毎に一括して所定の可搬型記録媒体に書き込むように制御することを特徴とする。
【発明の効果】
【００１０】
本発明の請求項１記載のカラオケ録音システムによれば、非歌唱区間にマイク入力される音声指示は排除して録音できると共に、歌唱中に満足行く歌唱ができていると判断できるタイミングで、非歌唱区間にて書き込み指示できるため、後から試聴するという手間もなく、また、カラオケ演奏中にマイクから書き込み指示ができるため、利便性が非常に高く、さらに、音声認識手段により、音声指示から抽出された音声データに何れかの利用者のＩＤ情報が含まれていた場合、当該ＩＤ情報に基づき録音データを区分するため、区分された各録音データの一覧が表示され、各録音データが誰の可搬型録音媒体に書き込まれるかを容易に確認できることで、システムの利用時間を短縮でき、他の利用者に迷惑を及ぼさないなどといった効果を奏する。
【００１１】
さらに、本発明の請求項２記載のカラオケ録音システムによれば、請求項１記載のカラオケ録音システムにおいて、中央制御手段が書込手段に対して、区分毎に一括して各録音データを可搬型記録媒体に書き込むように制御するため、区分された各録音データをそれぞれ必要とする可搬型記録媒体毎に効率良く書き込むことができるなど、システムの利用時間をさらに短縮できるといった効果を奏する。
【発明を実施するための最良の形態】
【００１２】
以下、本発明のグループ参加者対応カラオケ録音システムについて、最適な実施例を挙げ、請求項１記載の（ア）から（ケ）の構成および請求項２記載の（コ）の構成について詳述する。
【実施例１】
【００１３】
図１は、本発明の一実施例におけるカラオケ録音システムのブロック構成図である。本実施例のカラオケ録音システム（１）は、主にカラオケ演奏装置（Ｐ）から構成されており、このカラオケ演奏装置（Ｐ）は、本装置全体を統括的に制御し、音源（６）、ミキサ（７）、ボーカルアダプタ（１４）、ＭＰＥＧデコーダ（１５）、合成回路（１６）、ＣＤ−Ｒレコーダ（書込手段：２）などが接続されている中央制御手段（１０）や、演奏データ（２４）や映像データ（２５）などカラオケ楽曲の演奏に必要な各種情報が記録されているハードディスク（ＨＤＤ：１１）、利用者のＩＤ情報（２６）、当該利用者の録音データ（２８）、その楽曲ＩＤコード（２７）などの各種情報を記録するためのＲＡＭ（１２）といった記録手段にて主に構成されている。
【００１４】
ここで、各構成要素について少し説明する。先ず、中央制御手段（１０）は、リモコン装置（３）にて利用者が所望するカラオケ楽曲のＩＤコードが入力されると、これを操作入力処理手段（２２）が検出し、カラオケ楽曲のリクエストであるとしてシーケンサ（２１）に伝達する。このシーケンサ（２１）は、主に楽曲シーケンサ、歌詞シーケンサおよび文字パターン作成手段からなり、楽曲ＩＤコードで識別される演奏データを、ハードディスク（１１）の演奏データ（２４）から読み出す。次に、音源（６）は、中央制御手段（１０）が実行するシーケンサ（２１）の処理によって入力された楽曲ＩＤに対応した演奏データに応じて音響信号を形成する。形成された音響信号はミキサ（７）に入力され、このミキサ（７）は音源（６）が発生した音響信号とＡ／Ｄコンバータ（１３）を介して入力されたマイク（５）からのマイク入力音声信号を適当なバランスでミキシングする。そして、ミキシングされたデジタル音声信号はサウンドシステム（８）に入力される。このサウンドシステム（８）はＤ／Ａコンバータおよびパワーアンプを備えており、入力されたデジタル信号をアナログ信号に変換して増幅し、スピーカ（９）からカラオケ伴奏音楽とマイク入力音声を放音する。
【００１５】
ハードディスク（１１）に記録されている映像データ（２５）はＭＰＥＧ２形式にエンコードされており、中央制御手段（１０）が実行する背景映像再生手段（図示省略）により再生処理が行われ、これを読み出してＭＰＥＧデコーダ（１５）に入力する。ＭＰＥＧデコーダ（１５）は、入力されたＭＰＥＧデータをＮＴＳＣの映像信号に変換して合成回路（１６）に入力し、この合成回路（１６）は背景映像の映像信号上に歌詞テロップや採点表示などのＯＳＤを合成し、合成された映像信号はディスプレイ装置（表示手段：４）に表示される。
【００１６】
次に、音響入力インタフェイスと録音制御手段について述べる。音響入力インタフェイスは二系統設定されており、所定のカラオケ楽曲の演奏中、第１音響入力インタフェイス（１９）は演奏データに応じた音響信号を取得し、また、第２音響入力インタフェイス（２０）はマイク入力音声の音響信号を取得する。録音制御手段（１８）はこれら入力された音響信号を混合し、ＰＣＭデータ変換した後に録音データとし、これをＲＡＭ（１２）の録音データ（２８）の記録部に記録する。なお、本実施例では、各録音データ（２８）に対応した楽曲ＩＤコード（２７）も所定の記録部に記録される。
【００１７】
そして、この時、中央制御手段（１０）は、録音制御手段（１８）に対して、各カラオケ楽曲に対応して設定された歌唱区間データと非歌唱区間データに基づき、歌唱区間では第１インタフェイス（１９）および第２音響入力インタフェイス（２０）からの音響信号を取得させ、非歌唱区間では第１音響入力インタフェイス（１９）からのみ音響信号を取得するように制御する。また、中央制御手段（１０）は、音声認識手段（１７）および録音制御手段（１８）に対して、非歌唱区間において、第２音響入力インタフェイス（２０）から音声指示の音声データが抽出され、当該音声データに何れかの利用者のＩＤ情報が含まれていた場合、音声認識手段（１７）の解析によって当該音声データから利用者のＩＤ情報が特定されると、一旦、このＩＤ情報（２６）はＲＡＭ（１２）の所定領域に記録され、このＩＤ情報（２６）に対応した録音データ（２８）も、その楽曲ＩＤコード（２７）共に記録される。さらに、これらの情報はハードディスク（１１）の所定領域に録音ファイル（２９）として記録されるが、この録音ファイル（２９）に基づき、その録音データの内容を利用者に対して表示する。
【００１８】
そして、ディスプレイ装置（４）に対しては、必要時に、当該ＩＤ情報を付帯させた録音データを表示させるように制御する。なお、この「必要時」とは、録音データを可搬型録音媒体に書き込む際に、その書き込み対象を利用者に確認させる時を言い、このタイミングは利用者による一覧表示の指示が発せられた場合や、所定の録音回数が終了した際、自動的に一覧表示される場合によるものである。
【００１９】
本発明における音声認識技術に関しては従来公知のもので良く、本実施例の音声認識手段（１７）は、マイク入力音声から音声データを抽出すると共に、当該音声データに含まれる利用者のＩＤ情報を特定するものである。具体的には、本実施例では、個々の利用者のＩＤ情報として、先ず、各利用者に「Ａ」、「Ｂ」、「Ｃ」、「Ｄ」というＩＤ情報を与え、次に、マイク入力された音声信号からノイズ成分を除去して音声認識を行った後、仮名情報として音声データを抽出・照合する。仮名情報とは、例えば、利用者のＩＤ情報を含んだ書き込みを指示する音声指示として、「かきこみ・えー」という言葉の仮名文字列言葉が音声で入力された場合、「か」、「き」、「こ」、「み」、「えー（Ａ）」の５文字を示す文字列の一語一語を音声認識してコード情報に変換されたものである。
【００２０】
なお、本実施例では「Ａ」、「Ｂ」、「Ｃ」、「Ｄ」というＩＤ情報を与えているが、本発明はこれに限らず、このＩＤ情報を、例えば、利用者の会員番号や氏名、あるいはニックネームなどとしても構わないが、音声認識の誤認を防ぐためには、ＩＤ情報は単純なほど良い。また、「か」、「き」、「こ」、「み」といった音声指示は必ずしも必要がなく、音声データに何れかの利用者のＩＤ情報が含まれていた場合には、書き込み指示の意味も含まれていると解釈させ、ＩＤ情報のみの単純な構成としてもよい。さらに、ＩＤ情報は必ずしも一つとは限らず、例えば、「えー（Ａ）・しー（Ｃ）」とすれば、利用者Ａと利用者Ｂの各可搬型記録媒体に書き込み指示を与えたことになるように構成しても構わない。
【００２１】
ここで、図２は、上記ディスプレイ装置（４）を表示手段とし、区分された各録音データの一覧表示例を示す画面（Ｄ）であるが、この画面（Ｄ）は必要時に表示されるものであり、所定の手順で録音が終了したタイミングで自動的に表示されたり、適時、利用者の指示により表示されるものである。この画面（Ｄ）には、録音シリアル番号表記（３０）と、曲名表記（３１）と、歌唱者表記（３２）と、利用者対応可搬型録音媒体表記（３３）などが掲載されている。この利用者対応可搬型録音媒体表記（３３）は、利用者のＩＤ情報に基づき区分されているため、利用者はこれを見れば、各録音データについて、誰の可搬型録音媒体に書き込むかを容易に確認できる。
【００２２】
通常、歌唱者は自らの可搬型録音媒体には、自ら歌唱した録音データを書き込むものであるが、勿論、本発明では、他の利用者の可搬型録音媒体にも書き込み指示を出せるものである。また、本実施例では、歌唱者（利用者）の表記や利用者対応の可搬型録音媒体の表記は、利用者のＩＤ情報に紐付けして、「Ａ」、「Ｂ」、「Ｃ」、「Ｄ」といった音声指示に好適な記号と同じ記号で表記させているが、本発明はこれに限定されず、記号をそのまま表記させる代わりに、ＩＤ情報に対応させて入力したり、あるいは既に入力されて登録されている利用者の氏名やニックネームを表記させても構わない。
【００２３】
図１に戻り、中央制御手段（１０）は、書き込み指示を受けた録音データに関しては、ＣＲ−Ｒレコーダ（書込手段：２）に対して、例えば、利用者が上記区分された各録音データの一覧表示を見た後、利用者による書き込み実行が指示されたタイミングで、各録音データを、図２で示した利用者対応可搬型録音媒体表記（３３）区分に基づき、その区分毎に一括して所定のＣＤ−Ｒに書き込むように制御する。この書き込み制御とは、具体的には、録音データを所定の記録部に記録する際、当該データに書き込みマーキングデータを付与し、このマーキングデータがあるものに限り、録音データを書き込みインタフェイス（２３）へ送付したり、あるいは、書き込みインタフェイス（２３）に送付後、書込手段（２）の書き込み機能を動作させたりするための制御である。
【００２４】
なお、本実施例では、利用者のＩＤ情報に基づく区分毎に一括して各録音データを自動的に書き込むように構成されているが、本発明はこれに限定されず、各録音データについて、誰の可搬型記録媒体への書き込み希望に入っているのかが一見して容易かつ明瞭に分かるため、例えば、利用者が区分された各録音データの一覧表示を見ながら、再度、あらためて書き込み指示や取り消しなどの訂正をしても構わない。また、本実施例では、書込手段（２）には複数の可搬型記録媒体の書き込み部が併設しているものであるが、本発明はこれに限らず、仮に、書込手段に１つの書き込み部だけしかない場合には、各可搬型記録媒体それぞれに識別子を付し、当該書き込み部への可搬型記録媒体の入れ替え毎に、プログラムによりそれぞれを識別して書き込みの可否を制御するようにしてもよい。
【００２５】
次に、図３に示す、録音制御および音声認識によるＩＤ情報に基づく区分のメカニズムの概念図に基づき、本発明の請求項１記載の（ク）および（ケ）の構成について、さらに詳述する。
【００２６】
先ず、（ａ）に示すように、所定のカラオケ楽曲の歌唱区間情報（歌唱区間データと非歌唱区間データ）に基づき、歌唱区間と非歌唱区間が設定される。本実施例では、歌唱区間と非歌唱区間を設定するためにカラオケ装置における歌詞テロップの表示の有無と歌詞文字の色変わり時間を検出する方式を採用している。すなわち、歌詞テロップが表示している状態にある場合を歌唱区間とし、非表示状態にある場合を非歌唱区間とする。あるいは、歌詞テロップは歌詞文字列を行表示した後、歌唱を開始するタイミングでその歌詞文字列を左から右方向へ色変えていく表現によって表示されるため、この歌詞テロップが所定時間変化しない区間を非歌唱区間としてもよい。
【００２７】
なお、本発明における歌唱区間と非歌唱区間の設定はこれらに限定されず、例えば、歌詞シーケンサが付帯する各カラオケ楽曲における歌詞文字列の表示順番と、その表示・消去タイミング、表示した文字列の色変わり開始・終了タイミングなどを記述した歌詞描出データを利用してもよい。さらに、演奏データに付帯する区間データを利用する方式も考えられる。この区間データとは、前奏・１番の歌唱区間・間奏・２番の歌唱区間・間奏・…・後奏というように、各演奏区間を示すデータをその楽曲の演奏時系列に対応付けしたデータであり、ＭＩＤＩデータ中に任意に設定でき、これを取得すれば歌唱区間と非歌唱区間を検出することができる。
【００２８】
所定のカラオケ楽曲の演奏中は、（ｂ）に示すように、第１音響入力インタフェイスからは、歌唱区間および非歌唱区間を問わず、カラオケ伴奏音楽の音響信号が録音用に取得される。そして、（ｃ）に示すように、第２音響入力インタフェイスからは、歌唱区間においては、マイク入力音声の音響信号が録音用に取得され、一方、（ｄ）に示すように、非歌唱区間においては、利用者の音声指示を非録音で受け付ける。この録音と非録音との切り替えは、例えば、音響信号を録音データとして記録するための回路と音声認識するための回路を物理的に切り替えたり、あるいは、音響信号に対し、ソフト的に録音用プログラムや音声認識用プログラムによる処理を選択するものである。そして、（ｅ）に示すように、マイク入力音声から非歌唱区間において音声データが抽出され、当該音声データに何れかの利用者のＩＤ情報が含まれていた場合は、（ｆ）に示すように、音声認識手段を用いて、当該音声データに含まれる利用者のＩＤ情報を特定し、これに基づき録音データを区分する。
【実施例２】
【００２９】
上記実施例は、カラオケ演奏装置と可搬型記録媒体へのＣＤ−Ｒレコーダ（書込手段）とが１対１に対応した形態であったが、本発明はこれに限定されず、例えば、図４に示すように、集中管理方式のカラオケ録音システムであっても構わない。本実施例のカラオケ録音システム（１）では、カラオケ店舗内の各客室にカラオケ演奏装置（Ｐ）が設置されており、これらのカラオケ演奏装置（Ｐ）には録音制御手段が内蔵されており、店舗内ＬＡＮ（Ｌ）によってＣＤ−Ｒレコーダ（Ｒ）を付帯する集中管理用サーバ（Ｓ）に接続されている。各カラオケ演奏装置（Ｐ）では録音データが形成され、所定の記録部に録音ファイル形式で記録されている。利用者の書き込み指示を受けた録音データに対してダンプ要求（書込手段への録音データの転送指令）操作を行うと、録音データは集中管理用サーバ（Ｓ）に転送される。集中管理用サーバ（Ｓ）は、どこのカラオケ演奏装置（Ｐ）からどんな録音データが転送されてきたのかを管理しながらＣＤ−Ｒレコーダ（Ｒ）をもって録音データを書き込む。
【００３０】
なお、集中管理方式のカラオケ録音システムとしては、この他、複数台の書込手段と、それぞれの書込手段を制御するための複数の集中管理用サーバがある形態でもよいし、一台の集中管理用サーバに複数台の書込手段が接続される形態であってもよい。勿論、集中管理用サーバを介さず、書込手段自体に集中管理用サーバと同様の制御機能が組み込まれていても構わない。
【００３１】
以上、詳述したように、本発明のグループ参加者対応カラオケ録音システムによれば、非歌唱区間にマイク入力される音声指示は排除して録音できると共に、歌唱中に満足行く歌唱ができていると判断できるタイミングで、非歌唱区間にて書き込み指示できるため、後から試聴するという手間もなく、また、カラオケ演奏中にマイクから書き込み指示ができるため、利便性が非常に高く、さらに、音声認識手段により、音声指示から抽出された音声データに何れかの利用者のＩＤ情報が含まれていた場合、当該ＩＤ情報に基づき録音データを区分するため、区分された各録音データの一覧が表示され、各録音データが誰の可搬型録音媒体に書き込まれるかを容易に確認できる。
【図面の簡単な説明】
【００３２】
【図１】本発明の一実施例におけるカラオケ録音システムのブロック構成図。
【図２】区分された各録音データの一覧表示例。
【図３】録音制御および音声認識によるＩＤ情報に基づく区分のメカニズムの概念図。
【図４】本発明の他の実施例である集中管理方式のカラオケ録音システムの構成図。
【符号の説明】
【００３３】
１  カラオケ録音システム
２  書込手段
４  表示手段
１０  中央制御手段
１１  ハードディスク
１２  ＲＡＭ
１７  音声認識手段
１８  録音制御手段
１９  第１音響入力インタフェイス
２０  第２音響入力インタフェイス
２６  利用者のＩＤ情報
２７  楽曲ＩＤコード
２８  録音データ
【図１】
2005316154.tif 000003
【図２】
2005316154.tif 000004
【図３】
2005316154.tif 000005
【図４】
2005316154.tif 000006